(57)【要約】【課題】歩行中に振り返ることなく、背後の情景を視認し、かつ記録することができる携帯型防犯カメラシステムを提供する。【解決手段】衣服や、携帯品の一部に取り付ける取付具１２を設けた小型カメラ１と、この小型カメラ１を遠隔操作する操作部２１と、小型カメラ１で撮像された画像を表示するための表示部２２とを備えたディスプレイ操作器２とを組み合わせて構成されている。【選択図】図１
0003121001.tif 000002
【実用新案登録請求の範囲】
【請求項１】
衣服や、携帯品の一部に取り付ける取付具を設けた小型カメラと、この小型カメラを遠隔操作する操作部と、上記小型カメラで撮像された画像を表示するための表示部とを備えたディスプレイ操作器とを組み合わせて構成されたことを特徴とする携帯型防犯カメラシステム。
【請求項２】
上記小型カメラと上記ディスプレイ操作器とはワイヤレス接続されていることを特徴とする携帯型防犯カメラシステム。
【請求項３】
上記ディスプレイ操作器は、非常スイッチとアラーム手段とを備えており、非常スイッチを操作することで、アラーム手段を作動させる構成にしていることを特徴とする携帯型防犯カメラシステム。
【請求項４】
請求項３において、
上記小型カメラ、上記ディスプレイ操作器の少なくとも一方には、非常ランプを設けており、上記ディスプレイ操作器の非常スイッチを操作したときには、上記非常ランプを点灯あるいは点滅させる構成にしていることを特徴とする携帯型防犯カメラシステム。
【請求項５】
請求項３，４のいずれかにおいて、
上記ディスプレイ表示器の非常スイッチを操作したときには、上記小型カメラが撮像する画像のうち、上記非常スイッチを操作した直後の画像をフレーム記録することを特徴とする携帯型防犯カメラシステム。
【請求項６】
ヘッドバンドや眼鏡に取り付け可能とされた、小型カメラとカメラ表示部と、上記小型カメラと上記カメラ表示部とを制御する操作器とを組み合わせて構成されたことを特徴とする携帯型防犯カメラシステム。
【考案の詳細な説明】
【技術分野】
【０００１】
本考案は、人が歩行時に身につければ、後方を振り返ることなく、歩きながら背後の情景を把握出来るだけでなく、防犯機能も備えた新規な携帯型防犯カメラシステムに関する。
【背景技術】
【０００２】
自動車には、サイドミラーやフェンダーミラーの様な後方視のための装置が備え付けられているが、人には、操作性や外見上などの問題が多いためか、この様な身につけるミラーなどが作られ、利用されていないのが現状である。
【考案の開示】
【考案が解決しようとする課題】
【０００３】
しかしながら、人が道を歩いているとき、背後から来る種々の乗り物や、様々な人に対して、身の危険を感じ、振り返りたく思うことがよくあるが、立ち止まって振り返る動作が、事実上殆ど出来ず、不安を抱くことが多いと思われる。このような場合に、背後の情景を見ることができるならば、歩行がし易く、後方から近づく不慮の事故や犯罪などからも身を守ることが出来る。
【０００４】
特に、老人が道を歩く場合や、身体障害者が車椅子で移動しているときには、後方からの自動車の接近は大変危険であり、このような場合に、後方を容易に確認することができれば安全である。
また、身体障害者等が後方を振り向くのは苦痛であると思われるので、そのような人には、後方を振り向かずに情景を確認することができれば便利である。
【０００５】
更に、子供や女性の場合、不審者対策が近年特に重要となる。後方を振り返らずに確認することができれば、後方を確認していることを不審者に悟られることなく、逃げる、防犯ブザーを鳴らすなどといった危機回避動作をすることができるからである。
特に、不審者の画像を記録できれば、後に何らかの問題が発生したときの証拠画像とできる。
【０００６】
本考案は、上記実情に鑑みなされたものであり、歩行中に振り返ることなく、背後の情景を視認し、かつ記録することができる新規な携帯型防犯カメラシステムを提供することを目的としている。
【課題を解決するための手段】
【０００７】
以上の目的を達成するため、本考案の請求項１では、衣服や、携帯品の一部に取り付ける取付具を設けた小型カメラと、この小型カメラを遠隔操作する操作部と、小型カメラで撮像された画像を表示するための表示部とを備えたディスプレイ操作器とを組み合わせて構成されたことを特徴とする。
請求項２では、小型カメラとディスプレイ操作器とはワイヤレス接続されていることを特徴とする。
【０００８】
請求項３では、ディスプレイ操作器は、非常スイッチとアラーム手段とを備えており、非常スイッチを操作することで、アラーム手段を作動させる構成にしている。
請求項４では、小型カメラ、ディスプレイ操作器の少なくとも一方には、非常ランプを設けており、ディスプレイ操作器の非常スイッチを操作したときには、非常ランプを点灯あるいは点滅させる構成にしている。
【０００９】
請求項５では、ディスプレイ表示器の非常スイッチを操作したときには、小型カメラが撮像する画像のうち、非常スイッチを操作した直後の画像をフレーム記録することを特徴とする。
請求項６では、ヘッドバンドや眼鏡に取り付け可能とされた、小型カメラとカメラ表示部と、小型カメラとカメラ表示部とを制御する操作器とを組み合わせて構成されたことを特徴とする。
【考案の効果】
【００１０】
請求項１〜６に係る本考案の携帯型防犯カメラシステムによれば、いずれも移動中に不審感を感じれば、振り返ることなく、背後の情景を何時でも把握出来る事になるので、後方からの不慮の交通災害や犯罪行為を未然に防ぐ上に大いに役立てることができる。従って、装着者に対して歩行時の安心感を大いに増大させることができる。
【００１１】
特に請求項１によれば、小型カメラを背中に取り付けたり、杖や傘に取り付ける一方、ディスプレイ操作器を視認できる位置に設置したり、手で持つことで、バックビューカメラとして使用できる。
【００１２】
また、請求項２によれば、小型カメラとディスプレイ操作器とはワイヤレス接続されているので、信号線が不要となり、取り扱いが便利となる。また、小型カメラ、ディスプレイ操作器を装着していることを外部から目立たないようにできる。
請求項３によれば、非常スイッチとアラーム手段とを備えているので、通常は本考案を後方視認のためのバックビューカメラとして使用し、緊急時に非常スイッチを操作すればアラームを鳴動させて、助けを呼ぶことができる。
また、請求項４によれば、小型カメラ、ディスプレイ操作器の少なくとも一方には、非常スイッチを操作したときに点灯あるいは点滅する非常ランプを設けているので、緊急時の発見が容易となる。
請求項５によれば、非常スイッチを操作すればその直後の画像が記録できるので、危険に遭遇した後、その画像を証拠として警察などに提示することができ、利便である。
請求項６によれば、ヘッドバンドや眼鏡と一体に構成されているので、小型カメラ、ディスプレイ操作器の装着が容易にできる。
【考案を実施するための最良の形態】
【００１３】
以下に本考案の最良の実施の形態について、図面に基づいて説明する。
図１は本発明の携帯型防犯カメラシステムの内部構成の一例を示す図、図２は本発明の携帯型防犯カメラシステムの外観構成の一例を示す図である。なお、ここでは、ディスプレイ操作器２に、表示部２２を一体に設けた例を示しているが、これには限られず、表示部２２と、これ以外の要素を組み込んだ操作器とに独立させてもよい。
【００１４】
小型カメラ１は、ディスプレイ操作器２からの制御信号に基づいて、電源をオン、オフしたり、映像表示のために必要な設定操作ができる。また、レンズの向きを調節するレンズ方向調整モータ１３と、信号線Ｌを接続するための接続端子Ｔ２とを備えている。レンズは、向きを変えるだけでなく、その視野角を変えて、ズームアップ、ダウンできるようにしておけばさらに便利である。
一方のディスプレイ操作器２は、小型カメラ１を遠隔操作するために設けられ、ＣＰＵなどで構成される制御部２０、非常スイッチ２１Ａ、レンズ方向調整スイッチ２１Ｂを含む各種操作スイッチを有する操作部２１、液晶画面や非常ランプ２２Ａなどで構成される表示部２２、このディスプレイ操作器２が動作するため必要なプログラムなどを記憶した記憶部２３、小型カメラ１を接続するためのインタフェース２４、警報音や助けを求める音声メッセージを出力するアラーム部（手段）２５、信号線Ｌを接続するための接続端子Ｔ１を備えている。
【００１５】
各種操作スイッチには、非常スイッチ２１Ａ、レンズ方向調整スイッチ２１Ｂ、フレーム記録スイッチ２１Ｃの他、撮影開始スイッチ、撮影停止スイッチ、電源スイッチなどで構成される。
【００１６】
撮影開始スイッチが操作され撮影開始指示がされたときには、制御部２０より、インタフェース２４、信号線Ｌを通じて、制御信号を出力することにより小型カメラ１を作動させ、撮像する。撮像された画像は画像信号として信号線Ｌを通じてディスプレイ操作器２に送信されて表示部２２で表示される。
【００１７】
また、レンズ方向調整スイッチ２１Ｂを操作すれば、制御信号が小型カメラ１に出力されて、レンズの上下、左右の撮影視野が変更できる。
非常スイッチ２１Ａを操作すれば、制御部２０はこれを受け、非常スイッチ２１Ａが操作された直後の画像をフレーム記録し、記憶部２３に記録する。
そして、アラーム部２５を作動させ警報音（音声メッセージ）を出力するとともに、非常ランプ２２Ａを点灯あるいは点滅させる。なお、非常ランプ２２Ａは小型カメラ１側に備えていてもよく、非常スイッチ２１Ａの操作を受け、信号線Ｌを通じて制御信号を出力し、小型カメラ１の非常ランプ２２Ａを点灯あるいは点滅させてもよい。
【００１８】
また、フレーム記録スイッチ２１Ｃが操作されたときには、制御部２０はこれを受け、小型カメラ１が撮像した画像をフレーム記録し、記憶部２３に記録する。これにより、緊急時の後方情景を記録できる。
【００１９】
このように、通常は小型カメラ１で撮像された画像をディスプレイ操作器２で表示して後方確認を容易とするが、緊急時には、ディスプレイ操作器２の非常スイッチ２１Ａを操作することにより、アラーム出力、非常ランプ２２Ａの点灯あるいは点滅させることができるので、周辺にいる人に対して、助けを呼ぶことができ、防犯効果を高めることができる。
なお、小型カメラを赤外線暗視カメラとし、ディスプレイ操作器２を暗闇でも画像を確認できる構成とすれば、防犯効果を更に高めることができる。
【００２０】
更には、小型カメラ１により撮像された後方の画像は、ディスプレイ操作器２には左右逆に見えるので、ディスプレイ操作器２に画像を左右反転させる機構を設けると、人があたかも後方を見ているかのような画像を表示でき、利便にできる。
【００２１】
図２は、携帯型防犯カメラシステムＡの外観構成の一例を示している。
携帯型防犯カメラシステムＡは、取付具１２を設けた小型カメラ１と、これに信号線Ｌを通じて接続されるディスプレイ操作器２とで構成されている。
小型カメラ１、ディスプレイ操作器２は、各々、信号線Ｌを接続する接続端子Ｔ１、接続端子Ｔ２を備えている。なお、小型カメラ１とディスプレイ操作器２を合体可能にすれば、携帯型防犯カメラシステムＡを使用しないとき、これらを合体させて収納することができ、利便にできる。
【００２２】
取付具１２は、図示するようなクリップだけではなく、安全ピン、フック、マグネット、マジックテープ（登録商標）、両面テープなどで構成することもできる。
また、ディスプレイ操作器２は、従来から存在する携帯電話機の表示機構を利用しているが、この例には限られず、腕時計と一体に組み込んだりしてもよい。
小型カメラ１は、レンズ部分１１が人体の後方を向くように、鞄の肩紐など、被服や携帯物の一部に対して、取付具１２によって取り付ける。また、ディスプレイ操作器２は、腰に取り付けたホルダなどに収容し、人が後方の情景を確認したい場合にディスプレイ操作器２をホルダから取り出す。
【００２３】
本考案は、以上のような実施例に限定されない。たとえば、既存の携帯電話機を用いたり、一部を加工することでも実施できる。近時の携帯電話機には、デジタルカメラを備えたものや、ＧＰＳ機能を備えたものがあるが、そのようなものでは、ディスプレイ操作器２を表示部を備えた携帯電話機本体で構成し、デジタルカメラを取り外して小型カメラ１として使用してもよい。
また、非常スイッチ２１Ａを操作すれば、予めディスプレイ操作器２に登録した通報先（警察や自宅など）に自動通報するようにすれば、一層の防犯効果を高めることができる。非常スイッチ２１Ａは、専用の操作ボタンを設ける以外に、すでに設けている操作ボタンの組み合わせとして使用してもよいことはいうまでもない。
また、携帯電話機にＧＰＳ、メール送信などの付加機能が備わっておれば、非常通報時に現在位置を通報したり、助けを呼ぶメールを自動送信するようにしてもよい。
【００２４】
このような携帯型防犯カメラシステムＡの使用態様を図３に示す。
ここでは、人が肩掛けした鞄の紐に対して、小型カメラ１を取り付け、ディスプレイ操作器２を鞄の中に収容している。人は後方を確認する際には、鞄からディスプレイ操作器２を取り出し、電源を入れるなどして、小型カメラ１に後方を撮影させ、その表示を確認する。
なお、信号線Ｌは、歩きやすさのため、鞄の肩紐に巻き付けることが望ましい。
【００２５】
このように、小型カメラ１を人体後方に向けて取り付けて、撮像される画像をディスプレイ操作器２に表示させるため、人体が後方の情景を確認したい場合、利便にできる。
なお、小型カメラ１とディスプレイ操作器２とは、各々、無線信号送受手段を設け、相互にワイヤレス接続されるようにしてもよい。こうすれば、信号線Ｌを必要とせず、デザイン上有益にできる。
【００２６】
小型カメラ１、ディスプレイ操作器２は、図１〜図３に示した態様に限られず、さらに種々の態様が考えられる。
図４は、小型カメラ１の取付態様の一例を示す図であり、図５は、ディスプレイ操作器２の取付態様の一例を示す図である。
例えば、図４に示すように、小型カメラ１をランドセルに取り付ければ、児童の安全確保ができる。また、小型カメラ１が後方から視認できるので、不審者の抑制対策ができる。その場合、ディスプレイ操作器２は、子供が身につけるので、収納に困らないポケットサイズのものが望ましい。
更に、婦人帽を取り巻くリボンの後部に小型カメラ１を取り付ければ、婦人の防犯対策上有益にできる。また、小型カメラ１を複数箇所に取り付けておき、ディスプレイ操作器２でそれぞれの小型カメラ１の画像を切り換え表示できるようにすれば、一層便利である。
【００２７】
また、図５に示すように、ディスプレイ操作器２を杖に取り付ければ、老人の安全対策ができる。振向く動作が困難な老人や身体の不自由な人なども、杖に取り付けたディスプレイ操作器２を見て、後方の安全確認ができる。
【００２８】
更に、ディスプレイ操作器２を傘の柄に取り付けると、傘を開いた状態でも閉じた状態でも、小型カメラ１による画像を確認でき、利便にできる。また、女性の持つ日傘に取り付けることもできる。更に、傘の柄に取り付けることにより、傘を開いた状態ではディスプレイ操作器２の存在を外部より目立たなくすることができる。
【００２９】
図６は本発明の携帯型防犯カメラシステムの構成の他例を示す図である。なお、ここでは、小型カメラ１とカメラ表示部８はヘッドバンド７に取り付けているが、この例に限られず、眼鏡に取り付けてもよい。
この携帯型防犯カメラシステムＢでは、頭部に装着するヘッドバンド７に、小型カメラ１と、カメラ表示部８とを備えている。小型カメラ１は後頭部に位置し、人の背面を向くように取り付けられる一方、カメラ表示部８は前方に位置し、顔方向を向くように取付られている。
【００３０】
カメラ表示部８は、クリップ５を取り付けた連結柄３に設けられており、カメラ表示部８と一体になった連結柄３が、クリップ５によって額帯７に着脱可能に取り付けられる。
ここで、カメラ表示部８の位置は、前面の正中線上が望ましく、表示される画像を確認できるようにするため、顔から一定距離以上に離す必要がある。顔に近づけるためには、カメラ表示部８の前にフレネルレンズを設けることが望ましい。
また、下顎もしくは額よりやや上の高さに位置することが望ましく、遠近両用の眼鏡を掛けている人に対しては下顎の前方辺り、一方、一般人には、前額上部の前方辺りが望ましい。
【００３１】
連結柄３の上下方向の調節は、ジョイント部４によって行える。この連結柄３の上下方向の調節により、カメラ表示部８の上下位置を調節できる。
カメラ表示部８には、信号線Ｌを通じて小型カメラ１が接続されている。なお、信号線Ｌは、顔にかかって邪魔にならないようにヘッドバンド７に巻き付けている。
【００３２】
６は、小型カメラ１とカメラ表示部８とを制御する制御部、操作部などを収納した操作器であり、信号線Ｌを通じて、小型カメラ１とカメラ表示部８とに接続されている。操作器６は少なくとも、小型カメラ１のレンズ方向を調整するレンズ方向調整スイッチを含んでおり、制御信号を出力して、小型カメラ１のレンズの撮影方向を調節できる。
【００３３】
このような構成によれば、ヘッドバンド７を頭部に装着するだけで、後頭部に取り付けた小型カメラ１の画像が、前部のカメラ表示部８に表示されるため、後方の安全を確認しながら歩行することができる。
ここで、小型カメラ１、カメラ表示部８、操作器６は、信号線Ｌで接続しているが、各々の間で無線送受できるようにしてもよい。こうすれば、信号線Ｌを不要とし、機能上、デザイン上で有益にできる。
【図面の簡単な説明】
【００３４】
【図１】本考案の携帯型防犯カメラシステムの内部構成の例を示す図である。
【図２】本考案の携帯型防犯カメラシステムの外観構成の例を示す図である。
【図３】本考案の携帯型防犯カメラシステムの使用態様の例を示す図である。
【図４】小型カメラの取付態様の他例を示す図である。
【図５】ディスプレイ操作器の取付態様の例を示す図である。
【図６】本考案の携帯型防犯カメラシステムの他例を示す図である。
【符号の説明】
【００３５】
Ａ，Ｂ  携帯型防犯カメラシステム
１  小型カメラ
２  ディスプレイ操作器
３  連結柄
５  クリップ
６  操作器
７  ヘッドバンド
８  カメラ表示部
１２  取付具
２１  操作部
２１Ａ  非常スイッチ
２２  表示部
２２Ａ  非常ランプ
２５  アラーム部（手段）
Ｌ  信号線
Ｔ１、Ｔ２  接続端子
【図１】
0003121001.tif 000003
【図２】
0003121001.tif 000004
【図３】
0003121001.tif 000005
【図４】
0003121001.tif 000006
【図５】
0003121001.tif 000007
【図６】
0003121001.tif 000008
【手続補正書】
【提出日】平成18年1月13日(2006.1.13)
【手続補正１】
【補正対象書類名】図面
【補正対象項目名】図１
【補正方法】変更
【補正の内容】
【図１】
0003121001.tif 000009
【手続補正書】
【提出日】平成18年2月13日(2006.2.13)
【手続補正１】
【補正対象書類名】実用新案登録請求の範囲
【補正対象項目名】全文
【補正方法】変更
【補正の内容】
【実用新案登録請求の範囲】
【請求項１】
衣服や、携帯品の一部に取り付ける取付具を設けた小型カメラと、この小型カメラを遠隔操作する操作部と、上記小型カメラで撮像された画像を表示するための表示部とを備えたディスプレイ操作器とを組み合わせて構成されたことを特徴とする携帯型防犯カメラシステム。
【請求項２】
請求項１において、
上記小型カメラと上記ディスプレイ操作器とはワイヤレス接続されていることを特徴とする携帯型防犯カメラシステム。
【請求項３】
請求項１または請求項２において、
上記ディスプレイ操作器は、非常スイッチとアラーム手段とを備えており、非常スイッチを操作することで、アラーム手段を作動させる構成にしていることを特徴とする携帯型防犯カメラシステム。
【請求項４】
請求項３において、
上記小型カメラ、上記ディスプレイ操作器の少なくとも一方には、非常ランプを設けており、上記ディスプレイ操作器の非常スイッチを操作したときには、上記非常ランプを点灯あるいは点滅させる構成にしていることを特徴とする携帯型防犯カメラシステム。
【請求項５】
請求項３，４のいずれかにおいて、
上記ディスプレイ表示器の非常スイッチを操作したときには、上記小型カメラが撮像する画像のうち、上記非常スイッチを操作した直後の画像をフレーム記録することを特徴とする携帯型防犯カメラシステム。
【請求項６】
ヘッドバンドや眼鏡に取り付け可能とされた、小型カメラとカメラ表示部と、上記小型カメラと上記カメラ表示部とを制御する操作器とを組み合わせて構成されたことを特徴とする携帯型防犯カメラシステム。